(57)【特許請求の範囲】
【請求項１】
１つ以上の議事を含む会議の会議予定時間を記憶する会議情報記憶手段と、
議事の議事予定時間を記憶する議事情報記憶手段と、
議事の開始時刻と終了時刻を記憶する進行情報記憶手段と、
議事を開始させる操作情報を取得する操作情報取得手段と、
前記操作情報取得手段が議事の開始操作の操作情報を取得した場合、前記進行情報記憶手段に該議事の前記開始時刻を登録し、終了した議事の前記終了時刻を登録する議事移行登録手段と、
前記開始時刻と前記終了時刻から議事毎の議事経過時間、会議開始からの会議経過時間を計測し、終了した議事は前記議事予定時間を、進行中の議事は前記議事経過時間と前記議事予定時間の小さい方をそれぞれ議事進捗時間とし、議事毎の前記議事進捗時間の合計を実際の前記会議の進捗を示す前記会議の会議進捗時間として決定する経過時間計測手段と、
前記議事予定時間に対する前記議事経過時間の進捗状態、前記会議予定時間に対する前記会議経過時間の進捗状態、及び、前記会議予定時間に対する前記会議進捗時間の進捗状  態を表示する会議進行表示手段と、を有することを特徴とする会議進行支援装置。
【請求項２】
情報端末機とネットワークを介して接続された会議進行支援装置であって、
１つ以上の議事を含む会議の会議予定時間を記憶する会議情報記憶手段と、
議事の議事予定時間を記憶する議事情報記憶手段と、
議事の開始時刻と終了時刻を記憶する進行情報記憶手段と、
議事を開始させる操作情報を取得する操作情報取得手段と、
前記操作情報取得手段が議事の開始操作の操作情報を取得した場合、前記進行情報記憶手段に該議事の前記開始時刻を登録し、終了した議事の前記終了時刻を登録する議事移行登録手段と、
前記開始時刻と前記終了時刻から議事毎の議事経過時間、会議開始からの会議経過時間を計測し、終了した議事は前記議事予定時間を、進行中の議事は前記議事経過時間と前記議事予定時間の小さい方をそれぞれ議事進捗時間とし、議事毎の前記議事進捗時間の合計を実際の前記会議の進捗を示す前記会議の会議進捗時間として決定する経過時間計測手段と、
前記会議予定時間、前記会議経過時間、前記議事経過時間、及び、前記会議進捗時間を、前記議事予定時間に対する前記議事経過時間の進捗状態、前記会議予定時間に対する前記会議経過時間の進捗状態、及び、前記会議予定時間に対する前記会議進捗時間の進捗状態を表示する会議進行表示手段を備えた前記情報端末機に送信する情報送信手段と、
を有することを特徴とする会議進行支援装置。
【請求項３】
前記議事移行登録手段は、すでに一度以上開始され前記進行情報記憶手段に前記終了時刻が登録されている議事の開始操作の操作情報を前記操作情報取得手段が取得した場合、前記進行情報記憶手段に、再度、該議事の議事ＩＤ及び前記開始時刻を登録し、
前記経過時間計測手段は、前記進行情報記憶手段に記憶されている同じ議事ＩＤの全ての議事の前記開始時刻と前記終了時刻から議事毎の前記議事経過時間を計測し、
前記会議進行表示手段は、議事毎の前記議事経過時間から求められた前記会議の会議進捗時間を表示する、ことを特徴とする請求項１又は２記載の会議進行支援装置。
【請求項４】
前記経過時間計測手段は、前記進行情報記憶手段に前記開始時刻のみが登録されている進行中の議事について、前記議事予定時間よりも前記議事経過時間の方が大きい場合、前記議事予定時間を議事進捗時間として扱い、前記議事予定時間よりも前記議事経過時間の方が大きくない場合、前記議事経過時間を前記議事進捗時間として扱い、
進行中でなくすでに一度以上開始され前記進行情報記憶手段に前記終了時刻が登録されている議事について、前記議事予定時間を前記議事進捗時間として扱い、前記議事進捗時間の合計を前記会議進捗時間に決定する、
ことを特徴とする請求項１〜３いずれか１項記載の会議進行支援装置。
【請求項５】
前記経過時間計測手段は、同じ議事ＩＤに対応づけて前記進行情報記憶手段に登録された全てのレコードを抽出し、
前記開始時刻及び前記終了時刻が登録されたレコードについては前記開始時刻と前記終了時刻の差を、前記開始時刻のみが登録されたレコードについては前記開始時刻と現在時刻の差を、それぞれ算出し、前記差の合計を議事の前記議事経過時間とする、
ことを特徴とする請求項３又は４記載の会議進行支援装置。
【請求項６】
前記操作情報取得手段は、前記会議の予定開始時刻及び予定終了時刻を取得し、
前記経過時間計測手段は、前記予定開始時刻と予定終了時刻の差を前記会議予定時間とする、ことを特徴とする請求項１〜５いずれか１項記載の会議進行支援装置。
【請求項７】
前記操作情報取得手段は、議事毎の前記議事予定時間を取得し、
前記経過時間計測手段は、各議事の前記議事予定時間の合計を前記会議予定時間とする、ことを特徴とする請求項１〜５いずれか１項記載の会議進行支援装置。
【請求項８】
前記経過時間計測手段は、会議が開始された時の現在時刻を前記予定開始時刻とし、現在時刻に前記会議予定時間を加えた値を前記予定終了時刻とする、ことを特徴とする請求項６記載の会議進行支援装置。
【請求項９】
前記会議進行表示手段は、前記議事情報記憶手段に記憶された前記会議の一以上の議事のタイトルのリストを表示する、
ことを特徴とする請求項１〜８いずれか１項記載の会議進行支援装置。
【請求項１０】
前記操作情報取得手段は、前記リストの表示有無の指示情報を取得する、ことを特徴とする請求項９記載の会議進行支援装置。
【請求項１１】
前記操作情報取得手段は、議事を追加する指示情報を取得し、
前記議事情報記憶手段に追加された議事の議事情報を登録する、
ことを特徴とする請求項１〜１０いずれか１項記載の会議進行支援装置。
【請求項１２】
前記会議進行表示手段は、
前記議事予定時間と前記議事経過時間の差に応じて所定の形状の第１のアイコンを色分けして表示することで、前記議事予定時間に対する前記議事経過時間の進捗状態を表示する、ことを特徴とする請求項１〜１１いずれか１項記載の会議進行支援装置。
【請求項１３】
前記会議進行表示手段は、前記議事予定時間と前記議事経過時間の差に応じて、所定の形状の第１のアイコンに対する棒状指示部の相対位置を変化させることで、前記議事予定時間に対する前記議事経過時間の進捗状態を表示する、
ことを特徴とする請求項１〜１１いずれか１項記載の会議進行支援装置。
【請求項１４】
前記進行情報記憶手段に前記開始時刻のみが登録されている進行中の議事の前記議事経過時間が、前記議事予定時間以上になった場合、
前記会議進行表示手段は、前記第１のアイコンを点滅させる、
ことを特徴とする請求項１２又は１３記載の会議進行支援装置。
【請求項１５】
前記進行情報記憶手段に前記開始時刻のみが登録されている進行中の議事の前記議事経過時間が、前記議事予定時間以上になった場合、警告音を吹鳴する、
ことを特徴とする請求項１〜１４いずれか１項記載の会議進行支援装置。
【請求項１６】
前記会議進行表示手段は、前記会議予定時間と前記会議経過時間の差に応じて所定の形状の第２のアイコンを色分けして表示することで、前記会議予定時間に対する前記会議経過時間の進捗状態を表示し、
前記会議予定時間に対する前記会議進捗時間の比に応じて、前記第２のアイコンに対する第３のアイコンの相対位置を変化させることで、前記会議予定時間に対する前記会議進捗時間の進捗状態を表示する、
ことを特徴とする請求項１〜１５いずれか１項記載の会議進行支援装置。
【請求項１７】
前記会議進行表示手段は、前記会議経過時間が前記会議予定時間以上になった場合、前記第２のアイコンを点滅させる、ことを特徴とする請求項１６記載の会議進行支援装置。
【請求項１８】
情報端末機と会議進行支援装置がネットワークを介して接続された会議進行支援システムであって、前記会議進行支援装置は、
１つ以上の議事を含む会議の会議予定時間を記憶する会議情報記憶手段と、
議事の議事予定時間を記憶する議事情報記憶手段と、
議事の開始時刻と終了時刻を記憶する進行情報記憶手段と、
議事を開始させる操作情報を取得する操作情報取得手段と、
前記操作情報取得手段が議事の開始操作の操作情報を取得した場合、前記進行情報記憶手段に該議事の前記開始時刻を登録し、終了した議事の前記終了時刻を登録する議事移行登録手段と、
前記開始時刻と前記終了時刻から議事毎の議事経過時間、会議開始からの会議経過時間を計測し、終了した議事は前記議事予定時間を、進行中の議事は前記議事経過時間と前記議事予定時間の小さい方をそれぞれ議事進捗時間とし、議事毎の前記議事進捗時間の合計を実際の前記会議の進捗を示す前記会議の会議進捗時間として決定する経過時間計測手段と、
前記会議予定時間、前記会議経過時間、前記議事経過時間、及び、前記会議進捗時間を、前記情報端末機に送信する情報送信手段と、を有し、
前記情報端末機は、前記議事予定時間に対する前記議事経過時間の進捗状態、前記会議予定時間に対する前記会議経過時間の進捗状態、及び、前記会議予定時間に対する前記会議進捗時間の進捗状態を表示する会議進行表示手段を有する、
ことを特徴とする会議進行支援システム。
【請求項１９】
前記情報端末機の前記会議進行表示手段は、
定期的に、前記会議予定時間、前記会議経過時間、前記議事経過時間、及び、前記会議進捗時間を、送信するよう前記会議進行支援装置に要求し、
各情報端末機がほぼ同じ、前記議事予定時間に対する前記議事経過時間の進捗状態、前記会議予定時間に対する前記会議経過時間の進捗状態、及び、前記会議予定時間に対する前記会議進捗時間の進捗状態を表示する、ことを特徴とする請求項１８記載の会議進行支援システム。
【請求項２０】
１つ以上の議事を含む会議の会議予定時間を記憶する会議情報記憶手段と、
議事の議事予定時間を記憶する議事情報記憶手段と、
議事の開始時刻と終了時刻を記憶する進行情報記憶手段と、を有する会議進行支援装置の会議進行支援方法であって、
操作情報取得手段が、議事を開始させる操作情報を取得するステップと、
前記操作情報取得手段が議事の開始操作の操作情報を取得した場合、議事移行登録手段が、前記進行情報記憶手段に該議事の前記開始時刻を登録し、終了した議事の前記終了時刻を登録するステップと、
経過時間計測手段が、前記開始時刻と前記終了時刻から議事毎の議事経過時間、会議開始からの会議経過時間を計測し、終了した議事は前記議事予定時間を、進行中の議事は前記議事経過時間と前記議事予定時間の小さい方をそれぞれ議事進捗時間とし、議事毎の前記議事進捗時間の合計を実際の前記会議の進捗を示す前記会議の会議進捗時間として決定するステップと、
会議進行表示手段が、前記議事予定時間に対する前記議事経過時間の進捗状態、前記会議予定時間に対する前記会議経過時間の進捗状態、及び、前記会議予定時間に対する前記会議進捗時間の進捗状態を表示するステップと、
を有することを特徴とする会議進行支援方法。
【請求項２１】
１つ以上の議事を含む会議の会議予定時間を記憶する会議情報記憶手段と、
議事の議事予定時間を記憶する議事情報記憶手段と、
議事の開始時刻と終了時刻を記憶する進行情報記憶手段と、を有する装置に、
議事を開始させる操作情報を取得する操作情報取得ステップと、
前記操作情報取得ステップが議事の開始操作の操作情報を取得した場合、前記進行情報記憶手段に該議事の前記開始時刻を登録し、終了した議事の前記終了時刻を登録する議事移行登録ステップと、
前記開始時刻と前記終了時刻から議事毎の議事経過時間、会議開始からの会議経過時間を計測し、終了した議事は前記議事予定時間を、進行中の議事は前記議事経過時間と前記議事予定時間の小さい方をそれぞれ議事進捗時間とし、議事毎の前記議事進捗時間の合計を実際の前記会議の進捗を示す前記会議の会議進捗時間として決定する経過時間計測ステップと、
前記議事予定時間に対する前記議事経過時間の進捗状態、前記会議予定時間に対する前記会議経過時間の進捗状態、及び、前記会議予定時間に対する前記会議進捗時間の進捗状態を表示する会議進行表示ステップと、を実行させるプログラム。
【請求項２２】
１つ以上の議事を含む会議の会議予定時間を記憶する会議情報記憶手段と、
議事の議事予定時間を記憶する議事情報記憶手段と、
議事の開始時刻と終了時刻を記憶する進行情報記憶手段と、を有し情報端末機とネットワークを介して接続された装置に、
議事を開始させる操作情報を取得する操作情報取得ステップと、
前記操作情報取得ステップが議事の開始操作の操作情報を取得した場合、前記進行情報記憶手段に該議事の前記開始時刻を登録し、終了した議事の前記終了時刻を登録する議事移行登録ステップと、
前記開始時刻と前記終了時刻から議事毎の議事経過時間、会議開始からの会議経過時間を計測し、終了した議事は前記議事予定時間を、進行中の議事は前記議事経過時間と前記議事予定時間の小さい方をそれぞれ議事進捗時間とし、議事毎の前記議事進捗時間の合計を実際の前記会議の進捗を示す前記会議の会議進捗時間として決定する経過時間計測ステップと、
前記会議予定時間、前記会議経過時間、前記議事経過時間、及び、前記会議進捗時間を、前記議事予定時間に対する前記議事経過時間の進捗状態、前記会議予定時間に対する前記会議経過時間の進捗状態、及び、前記会議予定時間に対する前記会議進捗時間の進捗状態を表示する前記情報端末機に送信する情報送信ステップと、を実行させるプログラム。
【請求項２３】
請求項２２に記載された前記情報端末機に、
請求項２２に記載された前記装置から、前記会議予定時間、前記会議経過時間、前記議事経過時間、及び、前記会議進捗時間を受信するステップと、
前記議事予定時間に対する前記議事経過時間の進捗状態、前記会議予定時間に対する前記会議経過時間の進捗状態、及び、前記会議予定時間に対する前記会議進捗時間の進捗状態を表示するステップと、を実行させるプログラム。
【請求項２４】
１つ以上の議事を含む会議の会議予定時間と、議事の議事予定時間と、議事の開始時刻と終了時刻と、が記憶手段に記憶されており、
議事の開始操作の操作情報を取得した場合、前記記憶手段に該議事の前記開始時刻を登録し、終了した議事の前記終了時刻を登録する議事移行登録手段と、
前記開始時刻と前記終了時刻から議事毎の議事経過時間、会議開始からの会議経過時間を計測し、終了した議事は前記議事予定時間を、進行中の議事は前記議事経過時間と前記議事予定時間の小さい方をそれぞれ議事進捗時間とし、議事毎の前記議事進捗時間の合計を実際の前記会議の進捗を示す前記会議の会議進捗時間として決定する経過時間計測手段と、
前記議事予定時間に対する前記議事経過時間の進捗状態、前記会議予定時間に対する前記会議経過時間の進捗状態、及び、前記会議予定時間に対する前記会議進捗時間の進捗状態を表示する会議進行表示手段と、を有することを特徴とする会議進行支援装置。
【発明の詳細な説明】
【技術分野】
【０００１】
本発明は、会議の進行を支援する会議進行支援装置、会議進行支援システム、会議進行支援方法及びプログラムに関する。
【背景技術】
【０００２】
会議にコンピュータを活用したりネットワークを介して端末同士を接続し、効率的に会議を運営しようという試みがある。会議では、例えば、会議を効率的に進行させ、また進行を管理することが考えられている。現在どの議事について話し合われているのか、残る議事はどのような議事なのか、議事にどのくらいの議論の時間が残されているのか等は、参加者が把握すべきだからである。
【０００３】
効率的に会議を進行させるため、予め入力されたスケジュールに基づいて議事の進捗状況を報知する会議システムが提案されている（例えば、特許文献１参照。）。特許文献１には、会議の議事次第（時系列な議事のリスト）及び各議事の時間配分情報を記憶しておき、議事次第と各議事毎に議事経過時間を示すバーグラフを端末に表示させる会議システムが開示されている。
【０００４】
また、会議が予定された進捗通りに進まないこともあるため、予め設定された議事の順番通りに議事が進行されない場合や予定時間内に議事が終了しなかった場合、議事次第を再スケジューリングする技術が提案されている（例えば、特許文献２参照。）。特許文献２記載の会議システムは、議事次第に変更があった場合、それ以降の議事の予定時間を自動で調整することができる。
【発明の概要】
【発明が解決しようとする課題】
【０００５】
しかしながら、特許文献１に記載された会議ステムでは、ユーザは各議事の進捗をバーグラフで把握できるが、会議全体の進捗を把握できないという問題がある。
【０００６】
また、実際の会議では会議中に議事が中断されたり再開されたりすることがあるが、特許文献２では、ある会議のある議事が中断されたような場合、中断された議事をどのように扱うかが考慮されていない。
【０００７】
本発明は、上記課題に鑑み、会議の進捗及び議事の進捗を提供することができ、中断された議事を適切に取り扱うことができる会議進行支援装置、会議進行支援システム、会議進行支援方法及びプログラムを提供することを目的とする。
【課題を解決するための手段】
【０００８】
上記課題に鑑み、本発明は、１つ以上の議事を含む会議の会議予定時間を記憶する会議情報記憶手段と、議事の議事予定時間を記憶する議事情報記憶手段と、前記議事の開始時刻と終了時刻を記憶する進行情報記憶手段と、前記議事を開始させる操作情報を取得する操作情報取得手段と、前記操作情報取得手段が前記議事の開始操作の操作情報を取得した場合、前記進行情報記憶手段に該議事の前記開始時刻を登録し、終了した議事の前記終了時刻を登録する議事移行登録手段と、前記開始時刻と前記終了時刻から議事毎の議事経過時間、会議開始からの会議経過時間を計測し、終了した議事は前記議事予定時間を、進行中の議事は前記議事経過時間と前記議事予定時間の小さい方をそれぞれ議事進捗時間とし、議事毎の前記議事進捗時間の合計を実際の前記会議の進捗を示す前記会議の会議進捗時間として決定する経過時間計測手段と、前記議事予定時間に対する前記議事経過時間の進捗状態、前記会議予定時間に対する前記会議経過時間の進捗状態、及び、前記会議予定時間に対する前記会議進捗時間の進捗状  態を表示する会議進行表示手段と、を有することを特徴とする。
【発明の効果】
【０００９】
会議の進捗及び議事の進捗を提供することができ、中断された議事を適切に取り扱うことができる会議進行支援装置、会議進行支援システム、会議進行支援方法及びプログラムを提供することができる。
【図面の簡単な説明】
【００１０】
【図１】会議システムの概略を説明する図の一例である。
【図２】議事の中断・再開に対応した会議インジケータを説明する図の一例である。
【図３】会議システムの概略的な使用例の一例を示す図である。
【図４】会議システムの概略構成図の一例である。
【図５】情報端末機のハードウェア構成図の一例である。
【図６】会議情報の設定画面の一例を示す図である。
【図７】会議テーブル、議事テーブル、進行テーブルのそれぞれの一例を示す図である。
【図８】進行支援メニューの一例を示す図である。
【図９】進行支援メニューの一例を示す図である。
【図１０】議事インジケータを説明する図の一例である。
【図１１】議事インジケータの変形例を示す図である。
【図１２】会議インジケータを説明する図の一例である。
【図１３】会議インジケータを説明する図の一例である。
【図１４】会議インジケータの変形例を示す図である。
【図１５】会議システムの全体的な動作を示すフローチャート図の一例である。
【図１６】任意の会議の会議進捗時間の算出処理を示すフローチャート図の一例である。
【図１７】議事テーブルから読み出した会議ＩＤ＝３ に関連する議事の議事情報リストの一例を示す図である。
【図１８】議事進捗時間を算出する際の処理手順を示すフローチャート図の一例である。
【図１９】議事経過時間の算出処理を示すフローチャート図の一例である。
【図２０】進行情報リストの一例を示す図である。
【図２１】議事インジケータの表示手順を示すフローチャート図の一例である。
【図２２】会議インジケータの表示手順を示すフローチャート図の一例である。
【図２３】会議情報が設定された設定画面の一例を示す。
【図２４】会議インジケータを説明する図の一例である。
【図２５】議事毎に質疑の時間を設定できる設定画面の一例を示す図である。
【図２６】進行支援メニューの一例を示す図である。
【図２７】会議システムの概略的な使用例の一例を示す図である（実施例２）。
【図２８】会議システムの概略構成図の一例である（実施例２）。
【図２９】会議システムの全体的な動作を示すフローチャート図の一例である（実施例２）。
【発明を実施するための形態】
【００１１】
以下、本発明を実施するための形態について図面を参照しながら説明する。
図１（ａ）は、本実施形態の会議システムの概略を説明する図の一例である。
（１）本実施形態の会議システムは、会議全体の進捗状況を表示することを特徴の1つとする。進捗状況の一例は図示するバーグラフ１１とマーク１２である。会議システムは、会議開始から経過した時間である会議経過時間を計測している。また、会議の予定時間である会議予定時間は予め決まっている。すると、会議予定時間をバーグラフ１１の全長に割り当て、会議予定時間に対する会議経過時間の比率をバーグラフの全長に掛けることで、バーグラフの例えば左端からの距離により、理想的な進捗状況を表示することができる。図ではこの距離を境にバーグラフ１１を色分けしている。
【００１２】
また、会議システムは、左端を起点に例えば「▲」のようなマーク１２で実際の議事の進捗状況を示す。このため、会議システムは、会議進捗時間を算出する。本実施例で使う時間を簡単に整理すると、以下のようになる。
議事経過時間＝議事毎の経過時間
議事進捗時間＝(進行実績があり、進行中でない議事は議事予定時間) 、進行中の議事はmin(議事経過時間，議事予定時間)、（進行実績がなければゼロ）
会議経過時間＝会議が開始してからの経過時間
会議進捗時間＝各議事進捗時間の合計
会議システムは同様に会議予定時間をバーグラフ１１の全長に割り当て、会議予定時間に対する会議進捗時間の比率をバーグラフの全長に掛けることで、バーグラフの例えば左端からの距離により、実際の進捗状況を表示することができる。図ではバーグラフの左端からの距離にマーク１２を配置している。
【００１３】
図１（ｂ）は、予定よりも会議の進捗状況が遅れている場合のバーグラフ１１とマーク１２の関係の一例を示す。バーグラフ１１の色分け位置が経過時間とともに移動するのに対し、進行中の議事の議事進捗時間は議事予定時間を最大とするのでマーク１２の位置は、議事の議事予定時間を超えて移動しない。このため、色分け位置がマーク１２よりも右側に存在する。
【００１４】
図１（ｃ）は、予定よりも会議の進捗状況が進んでいる場合のバーグラフ１１とマーク１２の関係の一例を示す。マーク１２が議事予定時間に対応する長さの全体を移動する前に、次の議事が開始された場合、終了した議事の議事進捗時間は実際の議事経過時間でなく議事予定時間となる。このため、会議進捗時間は、終了した議事の議事予定時間と同じになり、マーク１２が議事予定時間に対応する長さまで瞬間的に移動するように見える。このため、色分け位置がマーク１２よりも左側に存在するようになる。
【００１５】
したがって、いずれの場合も、ユーザは、会議全体の理想的な進捗状況と、実際の会議の進捗状況を比較して、会議の進捗が遅れているか否かを一目で把握できる。
【００１６】
図２は、本実施形態の会議システムの概略を説明する図の一例である。
（２）本実施形態の会議システムは、議事の中断と再開に対応している。ある議事が再開した場合、中断前の議事経過時間を議事進捗時間に加えて、マーク１２の位置を表示することが特徴の1つである。
【００１７】
図２（ａ）は議事（議事ＩＤ３）の開始時刻と終了時刻を説明する図の一例である。なお、中断と終了に明確な区別はなく、終了後、議事が再開されることで直前の終了は中断であったと解釈される。
【００１８】
開始時刻と終了時刻は後述する進行テーブル３７から得られる。会議システムは、ユーザが議事３を開始する度に開始時刻に現在時刻を登録し、ユーザが議事３以外の議事を開始すると終了した会議３の終了時刻に現在時刻を登録する。したがって、会議システムは、同じ議事ＩＤの議事について開始時刻と終了時刻の差を合計することで、ある議事の議事経過時間を合計して算出できる。
【００１９】
図２（ｂ）は、議事１，２，３の３つの議事が属する会議において、議事３から開始された場合のバーグラフ１１とマーク１２の関係の一例を示す。図２（ｂ）に示す議事３の議事経過時間において議事３が中断され、議事１が開始された。これにより図２（ａ）の1組目の開始時刻と対の終了時刻が記録される。
【００２０】
そして、議事１が終了し、議事３が再開されたとする。これにより図２（ａ）の２組目の開始時刻が記録される。この場合、会議システムは、議事１の議事予定時間を議事進捗時間とみなす。そして、図２（ａ）の過去の開始時刻と終了時刻の組から議事３の議事進捗時間を算出し、議事１の議事進捗時間と議事３の議事進捗時間の合計に対応する長さをマーク１２の位置に決定する。よって、図２（ｃ）に示すように、マーク１２はリアルタイムに議事３の議事進捗時間を反映して移動を再開する。
【００２１】
次に、議事３が再度、中断され議事２が開始されたとする。これにより図２（ａ）の２組目の開始時刻と対の終了時刻が記録される。そして、議事２が終了し、議事３が再開されたとする。これにより図２（ａ）の３組目の開始時刻が記録される。
【００２２】
この場合、会議システムは、議事１の議事予定時間を議事進捗時間とみなし、議事２の議事予定時間を議事進捗時間とみなす。そして、図２（ａ）の過去の２組の開始時刻と終了時刻の組から議事３の議事進捗時間を算出し、議事１、２の議事進捗時間と議事３の議事進捗時間の合計に対応する長さをマーク１２の位置に決定する。よって、マーク１２はリアルタイムに議事３の議事進捗時間を反映して移動を再開する。
【００２３】
このように、本実施形態の会議システムは、議事の中断・再開を記録することで、中断・再開しても議事毎の議事進捗時間を計測でき、会議の進捗状況を表示することができる。ユーザはバーグラフ１１の色分け位置とマーク１２の位置を比較することで、会議全体の進捗状況を把握できる。
【実施例１】
【００２４】
本実施例では、スタンドアロン型の情報端末機１００について説明する。
図３は、会議システム５００の概略的な使用例の一例を示す図である。情報端末機１００は一台で特徴的な機能を提供できるので、必ずしもネットワークに接続されている必要はない。情報端末機１００は有線又は無線でプロジェクタ１３に接続されており、プロジェクタ１３の映像はホワイトボードに投影されている。このようなスタンドアロン型の情報端末機１００では、例えば次のような利用形態がある。
Ａ．プロジェクタ１３に接続された１台の情報端末機１００（区別するため情報端末機１という）を一人以上のユーザが共通に利用する形態。
Ｂ．プロジェクタ１３に接続された情報端末機１とは別の情報端末機１００（区別するため情報端末機２という）が専用に会議の進行支援を行う形態。
【００２５】
Ａの形態ではホワイトボードに進行支援メニュー１４が表示され、Ｂの形態では表示されないが、情報端末機１と２の機能に変わりはない。進行支援メニュー１４については後述するが、議事インジケータ１８、及び、会議インジケータ１７が表示される。
【００２６】
Ａの形態の場合、ユーザは自分が進行する議事になると情報端末機１を操作して、議事の開始と終了を操作する。これを繰り返すと、バーグラフ１１とマーク１２が会議の進捗状況を表しながら、全ての議事の開始時刻と終了時刻が情報端末機１に登録される。議事を再開する場合には、ユーザがすでに開始時刻と終了時刻が記録された議事を再開すればよい。
【００２７】
Bの形態の場合、タイムキーパが情報端末機２の進行支援メニュー１４を目視して各議事の進行を管理する。例えば、次の議事の指示、議事の開始と終了の入力、議事予定時間が満了したことの通知、等をタイムキーパが行う。この場合も、バーグラフ１１とマーク１２が会議の進捗を表しながら、最終的に全ての議事の開始時刻と終了時刻が情報端末機２に登録される。議事を再開する場合には、タイムキーパがすでに開始時刻と終了時刻が記録された議事を再開すればよい。
【００２８】
〔会議システム５００の構成〕
図４は、会議システム５００の概略構成図の一例を示す。図示する会議システム５００は、ネットワーク１６を介して接続された複数の情報端末機１００を有するが、スタンドアロン型の場合、ネットワークを介した通信は必須ではない。なお、ネットワークは、ＬＡＮ、ＷＡＮ、インターネット、又は、これらの組み合わせで構成され、有線か無線かは問わない。
【００２９】
情報端末機１００は、例えばＰＣ（Ｐｅｒｓｏｎａｌ Ｃｏｍｐｕｔｅｒ）であるが、携帯電話、スマートフォン、ＰＤＡ等、呼称はどのようなものでもよい。
【００３０】
情報端末機１００は、制御部２１、表示部２２、入力部２３、及び、データ格納部２４を有する。これらの各機能について説明する。
【００３１】
まず、通信部または通信装置１５は、ＬＡＮカードやイーサネット（登録商標）カードと呼ばれ、ＣＰＵ１０１からの指示によりＩＰネットワーク上の機器にパケットデータを送信し、他の機器から各種のパケットデータを受信する。なお、通信装置１５は情報端末機内にあってもよい。
【００３２】
表示部２２は進行支援メニューを表示するディスプレイ、又は、プロジェクタ１３とのインタフェースである。入力部２３は、キーボードやマウスなどであるが、ホワイトボードのタッチパネルが入力部２３となることがある。
【００３３】
次に制御部２１について説明する。図５は情報端末機１００のハードウェア構成図の一例である。情報端末機１００は、それぞれバスで相互に接続されているＣＰＵ１０１、ＲＡＭ１０２、ＲＯＭ１０３、記憶媒体装着部１０４、通信装置１０５、入力部２３、表示制御部１０７及び記憶装置１０８を有する。ＣＰＵ１０１は、ＯＳ、プログラム１１０を記憶装置１０８から読み出して、ＲＡＭ１０２を作業メモリにして実行する。
【００３４】
プログラム１１０は、会議進捗時間を算出し、会議インジケータや議事インジケータを表示する処理を行う。ＲＡＭ１０２は必要なデータを一時保管する作業メモリ（主記憶メモリ）になり、ＲＯＭ１０３にはＢＩＯＳや初期設定されたデータ、簡単なプログラムが記憶されている。
【００３５】
記憶媒体装着部１０４はＵＳＢケーブル等のケーブルや、可搬型の記憶媒体１１１を装着するインタフェースである。
【００３６】
表示制御部１０７は、プログラム１１０が指示する画面情報に基づき所定の解像度や色数等で表示部２２の描画を制御する。記憶装置１０８は、ＨＤＤやフラッシュメモリなどの不揮発メモリを実体とし、ＯＳ、及び、プログラム１１０を記憶している。
【００３７】
記憶媒体１１１は、例えば、ＳＤカードやＵＳＢメモリなど不揮発性のメモリである。プログラム１１０は、記憶媒体１１１に記録された状態又は不図示のサーバからダウンロードされる態様で配布される。
【００３８】
図４に戻り、情報端末機１００の各機能について説明する。制御部２１は、主にＣＰＵ１０１が相当し、議事作成手段３１、会議進行表示手段３２、会議進捗算出手段３３及び議事移行確認手段３４、を有する。これらは、ＣＰＵがプログラム１１０を実行することで実現される。
【００３９】
ユーザは、入力部２３を使って会議に関する情報を入力する。議事作成手段３１は、入力部２３が受け付けた会議に関する情報から会議情報を生成する。
【００４０】
図６（ａ）は、会議情報の設定画面の一例を示す図である。議事作成手段３１は、ユーザの操作に応じてこのような設定画面を表示する。入力は、ユーザの入力が容易になるようにＧＵＩ（Graphical User Interface）画面を用いて行われることが好ましい。設定画面には、会議名欄、会議の予定開始時刻欄、会議の予定終了時刻欄、議事追加ボタン、議事削除ボタン、議事タイトル欄、議事項目毎に分配する議事予定時間欄、トータル予定時間欄、などがある。
【００４１】
ユーザは入力部２３を操作して、会議名や議事タイトルに所望の文字や記号を入力する。また、ユーザは会議が開始される予定開始時刻と、会議が終了される予定終了時刻とを入力部２３を操作して入力する。予定開始時刻と予定終了時刻の差が会議予定時間である。
【００４２】
現実には、現在時刻が予定開始時刻の時に会議が開始されるとは限らないので、会議が開始された時、制御部は予定開始時刻←現在時刻、予定終了時刻←現在時刻＋会議予定時間、のように設定することができる。こうすることで、予定開始時刻と予定終了時刻を会議が開始された現在時刻に合わせることができる。なお、会議経過時間は実際に会議が開始された時刻を基準に計測される。
【００４３】
なお、予定終了時刻は元の値のままとすることもできる。この場合、会議が遅れて始まっても、予定終了時刻を守ることができる。
【００４４】
また、ユーザは、議事予定時間を議事毎に入力することができる。入力を支援するため、議事作成手段３１が、予定開始時刻と予定終了時刻の差分（会議予定時間）を議事の数で等分に割った値を議事予定時間欄に自動的に登録してもよい。自動的またはユーザの操作により会議予定時間と議事予定時間の合計は一致する。
【００４５】
図では６つの議事タイトル欄（議事１〜６）が表示されているが、ユーザが議事追加ボタンを押下することで、議事作成手段３１は７個目の議事タイトル欄を表示する。また、ユーザが１つ以上の議事タイトル欄を選択した状態で議事削除ボタンを押下することで、議事作成手段３１は選択された議事を削除する。また、ユーザが、議事予定時間欄に議事予定時間を設定すると、議事作成手段３１は入力された全ての議事予定時間を合計して、トータル予定時間欄に設定する。
【００４６】
図６（ｂ）は会議情報の設定画面の別の一例を示す図である。図６（ａ）と異なるのは、議事毎の予定開始時刻と予定終了時刻が表示されている点である。議事作成手段３１は、議事1については会議の予定開始時刻を議事の予定開始時刻に、議事の予定開始時刻に議事予定時間を加えた時刻を議事の予定終了時刻に、それぞれ設定する。議事２以降は、1つ前の議事の予定終了時刻を次の議事の予定開始時刻に設定すればよい。このように表示することで、ユーザは、各議事の予定開始時刻と予定終了時刻を時計などが示す実時間と比較しやすくなる。
【００４７】
ユーザが設定した会議情報は、データ格納部２４の会議テーブル３５及び議事テーブル３６に格納される。
【００４８】
図７（ａ）は会議テーブル３５の一例を、図７（ｂ）は議事テーブル３６の一例を、図７（ｃ）は進行テーブル３７の一例を、それぞれ示す。
【００４９】
会議テーブル３５は会議を識別する「会議ＩＤ」、「会議名」、「予定開始時刻」、及び、「予定終了時刻」のフィールドを有する。会議ＩＤは重複しない番号が議事作成手段３１により割り当てられ、会議名、予定開始時間、及び、予定終了時間はユーザが入力部２３から入力した値が設定される。
【００５０】
議事テーブル３６は、議事を識別する「議事ＩＤ」、「議事タイトル」、「議事予定時間」、「議事番号」及び、「会議ＩＤ」のフィールドを有する。議事ＩＤは重複しない番号が議事作成手段３１により割り当てられ、議事タイトル、議事予定時間はユーザが入力部２３から入力した値が設定される。議事番号は、議事タイトルの表示順を決める情報であり、例えば設定画面の上からの順番である。また、議事作成手段３１は、同じ会議に属する議事ＩＤには同じ会議ＩＤを登録する。よって、会議ＩＤから議事ＩＤを、議事ＩＤから会議ＩＤを、それぞれ特定できるようになっている。
【００５１】
進行テーブル３７は、「議事ＩＤ」、「開始時刻」及び「終了時刻」のフィールドを有する。進行テーブル３７は、会議毎に生成されてもよいし、複数の会議に共通に生成されてもよい。議事ＩＤは議事進行の対象となった議事の議事ＩＤである。議事移行確認手段３４はユーザの操作を監視して、各議事毎に議事の開始時刻及び終了時刻を進行テーブル３７に格納する。ユーザが議事を中断・再開した場合、進行テーブル３７には同じ議事ＩＤが複数個登録されることになる。
【００５２】
議事移行確認手段３４は、ユーザが所定の操作（「次の議事へ」ボタンを押下）を入力すると、データ格納部２４の進行テーブル３７を更新する。この操作により、それまで進行していた議事はいったん終了したことになり、議事移行確認手段３４は、進行テーブル３７の該当する議事に終了時刻を登録する。
【００５３】
そして、議事移行確認手段３４は、会議のスケジュールに基づき次に予定されている議事が「議事開始」されたと判断し、次の議事のＩＤ と議事進行の開始時刻を、データ格納部２４の進行テーブル３７に登録する。また、次の議事がない場合は、議事移行確認手段３４は会議の終了処理も行う。
【００５４】
図４に戻り、会議進行表示手段３２は、会議進捗算出手段３３の算出結果に基づき、会議の進捗状況を表示部２２へ表示する。この表示が上記の進行支援メニュー１４に相当する。会議の進捗状況は、上記のバーグラフ１１とマーク１２などで表示される。
【００５５】
会議進捗算出手段３３は、進行テーブル３７から議事経過時間、議事進捗時間、会議経過時間、会議進捗時間を計算し、会議の進捗状態を数値化する。
【００５６】
〔進行支援メニュー〕
図８（ａ）は、進行支援メニュー１４の一例を示す図である。ユーザは情報端末機１００を操作して会議情報が設定された会議を指定して操作支援メニューを起動する。進行支援メニュー１４は、議事タイトルのリスト（以下、議事リスト５１という）が表示された状態とされない状態を有する。図８（ａ）は表示された状態である。
【００５７】
進行支援メニュー１４は、ＯＳのマルチタスク機能により他のアプリケーションとは独立に実行されるため、他のアプリケーションと共に１つの表示部２２に表示される。図８（ａ）では例えばプレゼンテーション用のアプリケーションと共に表示されている。進行支援メニュー１４は、常にユーザの手前側に表示されるように設定される。
【００５８】
進行支援メニュー１４は、2つの議事表示欄５２，５３、議事インジケータ１８、バーグラフ１１、マーク１２、「リスト非表示」ボタン５４、及び、「会議開始」ボタン５５を有する。「リスト非表示」ボタン５４は、議事リスト５１を非表示の操作を受け付けるボタンである。進行支援メニュー１４は、会議の進行を支援するものなので、他のアプリケーションの表示を阻害しないように、議事リスト５１の表示／非表示を切り替えることができる。ユーザが「リスト非表示」ボタン５４を押下すると、図8（ｂ）に示すように議事リスト５１だけを消去することができる。
【００５９】
また、ユーザが議事リスト５１のいずれかの議事の「開始」ボタン６１〜６４を押下するか、又は、「会議開始」ボタン５５を押下すると、会議が開始される。
図9（ａ）は会議が開始された状態の進行支援メニュー１４の一例を示す。ここでは、ユーザが議事２の「開始」ボタン６２を押下したとする。すると、会議進行表示手段３２は、「開始」ボタン６２を「再開」ボタン６６に変更し、進行支援メニュー１４の議事表示欄５２に進行中の議事２のタイトルを、議事表示欄５３に議事２の次の議事３のタイトルをそれぞれ表示する。また、「会議開始」ボタン５５を「次の議事へ」ボタン５６に変更する。
【００６０】
また、会議が進行し全ての議事が一度は開始された状態になると、会議進行表示手段３２は、「次の議事へ」ボタン５６を「会議終了」ボタン５７に変更する。図9（ｂ）は全ての議事が一度は開始された状態の進行支援メニュー１４の一例を示す。この場合でも、ユーザは議事リストを表示して「再開」ボタン６５〜６８のいずれかを押下することで所望の議事を再開できる。
【００６１】
〔議事インジケータ〕
次に、議事インジケータ１８について説明する。図１０は議事インジケータ１８を説明する図の一例である。この議事インジケータ１８は、バッテリの形状を模式化したアイコンであり、アイコンの色分け、点滅等により議事の進捗状況を表す。議事が開始されると、議事インジケータ１８は、当該議事についての議事予定時間に対する議事経過時間が色付けされた部分の表示が減ることで示される。例えば、ある議事の開始直後、図１０（ａ）のように議事インジケータ１８の全体が一色（例えばグリーン）で表示される。そして、図１０（ｂ）に示すように、時間が経過すると徐々に、グリーンの部分が小さくなりそれまでグリーンだった部分が白色になる。図１０（ｂ）の状態は、当該の議事の議事予定時間の約半分が経過したことを示す。
【００６２】
さらに時間が経過して、当該の議事の議事予定時間が経過した時、議事インジケータ１８は図１０（ｃ）のように全体が白色になる。この状態になる前にこの議事が終了すれば（「次の議事へ」ボタンが押下される）、議事インジケータ１８は図１０（ｄ）の状態にはならない。
【００６３】
議事経過時間が議事予定時間と等しくなると、会議進行表示手段３２は警告音を吹鳴する。例えば「チーン」「リリリ…」「ピンポーン」「決められた時間が経過しました」などである。このような警告音の出力は、例えば、ソフト的なプレーヤにサウンドファイルの実行を要求することで実現できる。
【００６４】
この後、議事予定時間を超過した場合、議事インジケータ１８の表示態様は、図１０（ｃ）と（ｄ）の状態が交互に入れ替わる態様になる。図１０（ｄ）では議事インジケータ１８の全体が一色（例えば赤色）で表示されている。この結果、ユーザには議事インジケータ１８が赤色で点滅しているように見える。
【００６５】
議事インジケータ１８が点滅した状態でも、例えば１分ごとなど決められた間隔で、議事経過時間が警告音を吹鳴してもよい。こうすることで、ユーザは議事経過時間が議事予定時間を経過したことを思い出すことができる。
【００６６】
そして、「次の議事へ」ボタンが押下され、一度も進行されていない議事が開始された直後は、議事インジケータ１８は図１０（ａ） の表示状態となる。また、いったん開始された後、中断された議事をユーザが再開した場合、直前の終了時の表示状態と同じになる。
【００６７】
なお、議事インジケータ１８の形状や色は人間が視認できる限りでどのような形状や色でもよく、立体形状のインジケータとなってもよい。ただし、議事インジケータ１８で使用する色に関しては、色覚障害者を考慮したものであることが望ましい。
【００６８】
図１１は、議事インジケータ１８の変形例を示す図である。図１１（ａ）は砂時計を模式的示した議事インジケータ１８である。議事の開始直後、砂時計の上側の三角形が緑色一色で、下側の三角形が白い色一色で表示される。そして、時間が経過すると、上側の三角形の上側から徐々に白色になり、下側の三角形の下側から徐々に緑色になっていく。議事予定時間が経過すると、砂時計の上側の三角形が白色一色で、下側の三角形が緑色一色で表示される。議事経過時間が議事予定時間を超過した後は、例えば、下側の三角形が赤色と白色で交互に表示されユーザには点滅しているように見える。
【００６９】
図１１（ｂ）は水平方向の色分け位置で議事経過時間を示す議事インジケータ１８である。議事の開始直後、水平方向に長手方向を有する矩形領域の全体が緑色一色で表示される。そして、時間が経過すると、矩形領域の右端から徐々に白色になる。議事予定時間が経過すると、矩形領域の全体が白色一色になる。議事経過時間が議事予定時間を超過した後は、例えば、矩形領域が赤色と白色で交互に表示され、ユーザには点滅しているように見える。
【００７０】
図１１（ｃ）は上下方向の色分け位置で議事経過時間を示す議事インジケータ１８である。議事の開始直後、矩形領域の全体が緑色一色で表示される。そして、時間が経過すると、矩形領域の上側から徐々に白色になると共に、緑色の点又は微小球体が緑色の領域から上方に向かって移動する。これはちょうど泡が移動する様子を模式的にアイコン化した議事インジケータ１８となる。議事予定時間が経過すると、矩形領域の全体が白色一色になる。議事経過時間が議事予定時間を超過した後は、例えば、矩形領域が赤色と白色で交互に表示され点滅しているように見える。
【００７１】
図１１（ｄ）は燃料計を模式的に示した議事インジケータ１８である。議事の開始直後、針は扇形状の上端を示す。そして、時間が経過すると、針が上端から下端へ向けて徐々に移動する。予定定議事時間が経過すると、針が扇形状の下端を示す。議事経過時間が議事予定時間を超過した後は、例えば、扇形状の全体が赤色と白色で交互に表示され点滅しているように見える。なお、針が下方へ移動するのでなく、上方へ移動することで議事経過時間を示してもよい。また、針よりも上側とした側で扇形状の色を変えてもよい。
【００７２】
また、図１１（e）に示すように、色の領域の広さで議事に割り当てられた残りの時間を表示するのでなく、数値で表示してもよい。図１１(e)ではバッテリの形状の議事インジケータ１８だけでなく、「残りの時間／議事予定時間」が数値として表示されている。ユーザはより正確に残り時間を把握することができる。このような表示は図１１(a)〜（ｄ）の全てで可能である。
【００７３】
〔会議インジケータ〕
次に、図１２を用いて会議インジケータ１７について説明する。会議インジケータ１７は、バーグラフ１１とマーク１２から成り、予定通りに会議が進行した場合の進捗状況と、実際の会議の進捗状況とを表示する。予定通り（理想的）に会議が進行した場合の進捗状況は、例えば、バーグラフ１１の全長に対する色分け位置などで示される。
【００７４】
会議開始の直後、図１２（ａ）に示すように、バーグラフ１１は全体が一色（例えば、白色）で表示される。なお、バーグラフ１１の始点は予定開始時刻であり、終点は予定終了時刻である。
【００７５】
会議インジケータ１７は、議事インジケータ１８と異なり、経過時間と共にグリーンの領域が徐々に大きくなっていく。バーグラフ１１の斜線領域（緑色）が、予定開始時刻からの経過時間を表す。図１２（ｂ）は会議予定時間に対し半分の時間が経過したバーグラフ１１である。
【００７６】
会議経過時間が予定終了時刻に近くなると、図１２（ｃ）のように、バーグラフ１１の全体がグリーンになる。
【００７７】
予定終了時間を超過しても会議が終了しない場合、会議インジケータ１７は図１２（ｄ）と図１２（ａ）が切り替わる点滅状態となる。図１２（ｄ）のバーグラフ１１は全体が一色（例えば赤色）で占められている。この結果、ユーザには議事インジケータ１８が赤色で点滅しているように見える。予定終了時刻前に会議が終了されると（終了ボタンが押下されると）、会議インジケータ１７はそれ以上変化しない。
【００７８】
なお、会議インジケータ１７で使用する色は、色覚障害者を考慮したものであることが望ましい。また、バーグラフ１１の色分けではなく、数値で表示してもよい。この場合、例えば、「残りの時間／会議予定時間」のように表示される。
【００７９】
・「▲」の表示
バーグラフ１１の色分けが予定通りに会議が進行した場合の経過時間割合を表すのに対し、「▲」のアイコン（マーク）は会議進捗時間を表す。なお「▲」でなく、「｜」のような棒状のアイコンなどアイコンはどのような形状でもよい。
【００８０】
図１２（ａ）に示すように、マーク１２がバーグラフ１１の左端を指示する場合、議事が一つも進行されていないことを示し、図１２（ｄ）に示すようにマーク１２がバーグラフ１１の右端を指示する場合、各議事の議事進捗時間の合計が、予定会時間とほぼ等しいかそれ以上になっていることを示す。
【００８１】
マーク１２は、経過時間とともに移動するが、議事の進行中でも、その議事の議事予定時間に対応するバーグラフの長さを超えて移動しない。例えば、図１３（ａ）のように、６つの議事があり、それぞれの会議予定時間に対する議事予定時間の比率により各議事に割り当てらえる長さが決まる。実際には図１３（ａ）のような区分線は表示されない。
【００８２】
まず、議事１の進行中（議事１以外から進行してもよい）、マーク１２は、時間の経過と共に右に移動する。したがって、図１３（ｂ）に示すように、議事１においてはアイコンとバーグラフ１１の色分け位置が同じ位置を指示する。
【００８３】
そして、ユーザが議事１が終了したと判断したり中断させたい場合、「次の議事へ」ボタンを押下する。この時、バーグラフ１１の色分け位置は議事１と２の境界を越えている場合も超えていない場合もあるが、マーク１２は各議事に割り当てらえる長さを超えて移動しない。
【００８４】
図１３（ｃ）はバーグラフ１１の色分け位置が議事１と２の境界を越えている状態の会議インジケータ１７を示す。議事経過時間が議事予定時間を超過した後、マーク１２は各議事に割り当てらえる長さを超えて移動しないので、ユーザは会議の進捗が予定の進捗状況よりも遅れていることを把握できる。
【００８５】
図１３（ｄ）はバーグラフ１１の色分け位置が議事１と２の境界を越えていない状態の会議インジケータ１７を示す。「次の議事へ」ボタンの押下により、マーク１２は各議事に割り当てらえる長さの終端まで瞬間的に移動するので、ユーザは会議の進捗が予定よりも進んでいることを把握できる。
【００８６】
なお、会議インジケータ１７の形状や色は人間が視認できる限りでどのような形状や色でもよく、立体形状のインジケータとなってもよい。
【００８７】
図１４は、会議インジケータ１７の変形例を示す図である。図１４（ａ）はバーグラフ１１を円形に変形した例である。内側の延伸部がマークの位置に相当し、外側の延伸部がバーグラフに相当する。会議が開始されると外側の延伸部が会議経過時間と共に長くなり、内側の延伸部は、各議事に割り当てらえる長さの範囲で会議進捗時間と共に長くなる。
【００８８】
また、図では会議インジケータ１７の中央に会議進捗時間と会議経過時間の差異が数値として表示されている。この差異は、「会議進捗時間−会議経過時間」にて算出され、この値が正値なら会議進捗が予定より「進んでいる」と、この値が負値なら会議進捗が予定より「遅れている」と表示される。
【００８９】
図１４（ｂ）〜（ｄ）は、マーク１２の変形例を示す図の一例である。図１４（ｂ）ではマーク１２がバーグラフ１１の上側にあり、図１４（ｃ）ではマーク１２がバーグラフ１１の内側にあり、かつ、アバターのようなアイコンになっており、図１４（ｄ）ではマーク１２が垂直方向に長手方向を有する矩形で表されている。
【００９０】
また、アイコンの位置ではなく（アイコンの位置と共に）、数値で実際の進捗を表してもよい。図１４(e)ではバーグラフ１１に会議経過時間と会議進捗時間が表示されている。ユーザはより正確に会議経過時間や会議進捗時間を把握することができる。
【００９１】
以上のようにして、会議進行表示手段３２は、議事インジケータ１８と会議インジケータ１７を別々に表示するので、ユーザは議事の進捗状況、会議の進捗状況を容易に把握することができる。
【００９２】
〔会議システム５００の動作〕
図１５を用いて、会議システム５００の動作について説明する。図１５は、会議システム５００の全体的な動作を示すフローチャート図の一例である。
【００９３】
まず、議事作成手段３１が、図６の設定画面から会議情報を作成する（Ｓ１０）。設定方法は説明したとおりである。
【００９４】
ユーザは、会議情報を設定した会議を開始する。これにより、会議進行表示手段３２は、会議経過時間の計測を開始する（Ｓ２０）。議事移行確認手段３４は、入力部２３が受け付けた例えば「開始」ボタンの押下を検出して、進行テーブル３７に開始した議事の議事ＩＤと開始時刻を登録する。
【００９５】
また、会議進行表示手段３２は、図９（ａ）の進行支援メニュー１４のように、時間と共に変化する議事インジケータ１８や会議インジケータ１７の表示を開始する（Ｓ３０）。会議の進行中、会議進行表示手段３２は会議進捗算出手段３３の結果にしたがって、逐次、進行支援メニュー１４の表示を更新する。
【００９６】
また、ユーザが議事変更の操作を行った場合（Ｓ４０のＹｅｓ）、すなわち、「次の議事へ」ボタンを押下した場合、会議進行表示手段３２は、議事インジケータ１８と会議インジケータ１７を更新する（Ｓ３０）。具体的には図１６以下の処理が実行される。
【００９７】
これにより、次の議事が一度も進行されたことがなければ、議事インジケータ１８の全体が緑色一色になり、次の議事がすでに一度以上進行されている場合、議事インジケータ１８は議事経過時間に応じた色分けにて表示される。また、次の議事が一度も進行されたことがなければ、会議インジケータ１７のマーク１２は、左端から終了した議事の議事予定時間（議事と議事の境界）に対応した位置に移動する。次の議事がすでに一度以上進行されている場合、会議インジケータ１７のマーク１２は、終了した議事の議事予定時間を始点として議事進捗時間に応じた位置に表示される。
【００９８】
また、議事移行確認手段３４は、入力部２３が受け付けた「次の議事へ」ボタンの押下を検出して、進行テーブル３７に終了した議事の終了時刻を登録する。
【００９９】
ユーザが議事変更の操作を行わない場合（Ｓ４０のＮｏ）、議事移行確認手段３４はユーザが会議の「会議終了」ボタンを押下したか否かを作か否かを判定する（Ｓ５０）。
【０１００】
ユーザが「会議終了」ボタンを押下した場合（Ｓ５０のＹｅｓ）、会議進捗算出手段３３は、会議経過時間の計測を終了する（Ｓ６０）。また、議事移行確認手段３４は、入力部２３が受け付けた「会議終了」ボタンの押下を検出して、進行テーブル３７に終了した最後の議事の終了時刻を登録する。
【０１０１】
＜会議進捗時間の算出＞
フローにて会議進捗時間の算出方法を説明する前に、会議進捗時間の算出処理について詳細を説明する。会議進捗算出手段３３は、議事進捗時間の合計から会議進捗時間を算出する。算出式は以下のようになる。
会議進捗時間＝Σ(進捗実績があり、進行中でない議事の議事予定時間) ＋ min(進行中の議事の議事経過時間，進行中の議事の議事予定時間) ・・・（１）
式（１）は進行中か進行中でないかにより、議事時間の算出方法が分けられている。進捗実績がない議事の議事進捗時間はゼロであるので式（１）には現れない。
【０１０２】
式（１）の前半部分の合計では、議論が終了した議事の進捗の合計を算出している。つまり、一度議論を終了した議事については、その議事の議論は終わったものと考えて、議事予定時間全てを使い切っていてもいなくてもその議事の議事予定時間を会議進捗時間に合算している（図１７のステップＳ２７０）。議事進捗時間が予定時間を超過していても、その議事で議論以上の進捗はないと考え、議事予定時間を会議の進捗に合算している。
【０１０３】
また、式（１） の後半部分のｍｉｎ（A,B）はA,Bのうち小さい方を会議進捗時間に加えるという意味であり、進行中の議事の議事進捗時間を会議進捗時間に足している。つまり進行中の議事については、経過した時間そのものを議事の進捗と考えることを原則に（図１７のＳ２５０のＹｅｓ、Ｓ２６０）、議事予定時間を超過した場合、議事の進捗がないと考え、議事予定時間のみを会議進捗時間に加算する（図１７のＳ２５０のＮｏ、Ｓ２７０）。
【０１０４】
図１６は、任意の会議の会議進捗時間の算出処理を示すフローチャート図の一例である。
【０１０５】
議事移行確認手段３４は、会議の開始を検出すると会議進行表示手段３２と会議進捗算出手段３３に会議ＩＤを通知するので、会議進行表示手段３２と会議進捗算出手段３３はそれぞれ処理を開始する。まず、会議進捗算出手段３３は、対象の会議の進捗時間を０分に初期化する（Ｓ１１０）。
【０１０６】
次に、会議進行表示手段３２は、会議ＩＤをキーにして議事テーブル３６から会議に属する議事のレコードを全て取得し、議事情報リストを生成する（Ｓ１２０）。
【０１０７】
図１７は、議事テーブル３６から読み出した会議ＩＤ＝３ に関連する議事の議事情報リストの一例を示す。会議ＩＤ３は３つの議事を有し、それぞれ議事予定時間は「５分」、議事番号は「１」，「２」，「３」であることがわかる。
【０１０８】
会議進捗算出手段３３は、議事情報リストの議事毎に議事進捗を算出するので、議事情報リストに対して、図１６の処理内で処理されていない議事があるか否か判定をする（Ｓ１３０）。
【０１０９】
処理されていない議事がある場合（Ｓ１３０のＹｅｓ）、会議進捗算出手段３３はその議事に対して議事進捗時間を算出する（Ｓ１４０）。議事進捗時間の算出処理については次述する。
【０１１０】
会議進捗算出手段３３は、議事情報リストの全ての議事の議事進捗時間を会議進捗時間に加算していく（Ｓ１５０）。そして、処理されていない議事がなくなった場合（Ｓ１３０のＮｏ）、図１６の処理は終了する。
【０１１１】
＜議事進捗時間の算出＞
図１８は、議事進捗時間を算出する際の処理手順を示すフローチャート図の一例である。まず、会議進捗算出手段３３は、議事情報リストの議事が一度以上進行されたか否かを判定する（Ｓ２１０）。この判定は、進行テーブル３７に着目している議事の議事ＩＤが登録されているか否かに判定される。
【０１１２】
進行テーブル３７に着目している議事の議事ＩＤが登録されていない場合（Ｓ２１０のＮｏ）、その議事は一度も進行されていないので、議事進捗時間はゼロとなる（Ｓ２２０）。
【０１１３】
進行テーブル３７に着目している議事の議事ＩＤが登録されている場合（Ｓ２１０のＹｅｓ）、会議進捗算出手段３３はその議事が進行中か否かを判定する（Ｓ２３０）。進行中とは、進行テーブル３７に開始時刻が登録されたが、終了時刻が登録されていない議事の状態をいう。
【０１１４】
着目している議事が進行中の場合（Ｓ２３０のＹｅｓ）、現在の議事経過時間を算出する必要があるため、会議進捗算出手段３３は議事経過時間を算出する（Ｓ２４０）。議事経過時間の算出処理については次述するが、議事経過時間は議事毎の経過時間である。
【０１１５】
次に、会議進捗算出手段３３は、議事予定時間よりも議事経過時間の方が大きいか否かを判定する（Ｓ２５０）。
【０１１６】
議事予定時間よりも議事経過時間の方が大きくない場合（Ｓ２５０Ｎｏ）、議事経過時間が議事予定時間以下ということになるので、会議進捗算出手段３３は議事経過時間を議事進捗時間として扱う（Ｓ２６０）。
【０１１７】
議事予定時間よりも議事経過時間の方が大きい場合（Ｓ２５０Ｙｅｓ）、議事経過時間が議事予定時間を超えているが議事経過時間が議事予定時間を超えないようにするため、会議進捗算出手段３３は議事予定時間を議事進捗時間として扱う（Ｓ２７０）。この取り扱いにより、議事進捗時間は最大でも議事予定時間とすることができる。
【０１１８】
また、着目している議事が進行中でない場合（Ｓ２３０のＮｏ）、議事は終了したものとみなし、会議進捗算出手段３３は議事予定時間を議事進捗時間として扱う（Ｓ２７０）。この取り扱いにより、進行中でなく終了時刻が登録されている議事は議事が終了したと扱うことができ、マーク１２を各議事に割り当てらえる長さの終端まで移動させることができ、バーグラフ１１とマーク１２によりユーザが会議の進捗状況を容易に把握できるようになる。
【０１１９】
＜議事経過時間の算出＞
図１９は、議事経過時間の算出処理を示すフローチャート図の一例である。
まず、会議進捗算出手段３３は、着目している議事の経過時間を０分に初期化する（Ｓ３１０）。
【０１２０】
次に、進行テーブル３７から現在、進行中の議事のレコードを全て取得し、進行情報リストを生成する（Ｓ３２０）。
図２０は進行情報リストの一例を示す図である。進行中の議事は、終了時刻が登録されている議事なので、会議進捗算出手段３３は、その議事と同じ議事ＩＤのレコードを進行テーブル３７から全て読み出せばよい。図２０では議事ＩＤ＝３の議事のレコードが読み出されている。会議進捗算出手段３３は、進行情報リストの議事毎に図２０の処理を実行する。
【０１２１】
まず、会議進捗算出手段３３は、進行情報リストの議事のうち、図２０の処理が実行されていない議事があるか否か判定をする（Ｓ３３０）。処理されていない議事がない場合(Ｓ３３０のＮｏ)、会議進捗算出手段３３は図１９の処理を終了して議事経過時間を返す（Ｓ３７０）。
【０１２２】
処理されていない議事がある場合(Ｓ３３０のＹｅｓ)、進行中の議事か否かを判定する（Ｓ３４０）。これは、着目している議事の終了時刻が進行情報リストに登録されているか否かで判定すればよい。
【０１２３】
進行中の議事でない場合（Ｓ３４０のＮｏ）、進行情報リストの開始時刻と終了時刻の差を経過時間に加算する（Ｓ３５０）。
【０１２４】
進行中の議事である場合（Ｓ３４０のＹｅｓ）、終了時刻が決まっていないので、進行情報リストの開始時刻と現在時刻の差を経過時間に加算する（Ｓ３６０）。以上の処理により、各議事の議事経過時間が算出される。
【０１２５】
＜議事インジケータ１８の表示＞
会議進行表示手段３２は、会議進捗算出手段３３が算出した議事経過時間に基づき、独自に議事経過時間を算出し、議事インジケータ１８を更新しながら表示する。
図２１は、議事インジケータ１８の表示手順を示すフローチャート図の一例である。
まず、会議進捗算出手段３３は、進行中の議事の議事経過時間を算出する（Ｓ４１０）。  次に、会議進行表示手段３２は、議事予定時間の方が議事経過時間よりも大きいか否かを判定する（Ｓ４２０）。
【０１２６】
議事予定時間の方が議事経過時間よりも大きい場合（Ｓ４２０のＹｅｓ）、議事インジケータ１８を色分けして表示すべきなので、会議進行表示手段３２は色分け位置を算出する（Ｓ４３０）。具体的には、
色分け位置＝（議事予定時間−議事経過時間）／議事予定時間
を算出し、議事インジケータ１８の高さに「色分け位置」を掛けた値が議事インジケータ１８の下を基準とする色分け位置となる。
【０１２７】
議事予定時間の方が議事経過時間よりも大きくない場合（Ｓ４２０のＮｏ）、会議進行表示手段３２は議事経過時間が議事予定時間と一致したか否かを判定する（Ｓ４４０）。
【０１２８】
議事経過時間が議事予定時間と一致した場合（Ｓ４４０のＹｅｓ）、会議進行表示手段３２は警報音を吹鳴する（Ｓ４５０）。これにより、ユーザは議事予定時間が全て消費されたことを把握できる。
【０１２９】
議事経過時間が議事予定時間と一致しない場合（Ｓ４４０のＮｏ）、議事経過時間が議事予定時間を超過しているので、会議進行表示手段３２は議事インジケータ１８を点滅させる（Ｓ４６０）。これにより、ユーザは会議予定時間がすでに消費されていることを把握できる。
【０１３０】
具体的には、会議進行表示手段３２は、図１０（ｃ）と（ｄ）のアイコンを定期的に（１秒ごとくらい）に切り替えるか、アイコンの色設定を切り替える。こうすることで、議事インジケータ１８が点滅しているように見える。
【０１３１】
＜会議インジケータ１７の表示＞
図２２（ａ）は、会議インジケータ１７の表示手順を示すフローチャート図の一例である。
【０１３２】
まず、会議進行表示手段３２は予定開始時刻に現在時刻を設定し、予定終了時刻に現在時刻＋会議予定時間を設定する（Ｓ５１０）。
【０１３３】
会議進行表示手段３２は、現在時刻が予定終了時刻未満か否かを判定する（Ｓ５２０）。現在時刻が予定終了時刻以上の場合（Ｓ５２０のＮｏ）、予定では会議が終了していることを意味するので、会議進行表示手段３２は会議インジケータ１７のバーグラフ１１を点滅させる（Ｓ５６０）。
【０１３４】
現在時刻が予定終了時刻未満の場合（Ｓ５２０のＹｅｓ）、バーグラフの色分けをすべきなので、まず、会議進行表示手段３２は変数である予定会議進捗に現在時刻と予定開始時刻の差を設定する（Ｓ５３０）。
【０１３５】
次に、会議進行表示手段３２は変数である会議予定時間に予定終了時刻と予定開始時刻の差を設定する（Ｓ５４０）。
【０１３６】
次に、会議進行表示手段３２は、
バーの色分け位置＝予定会議進捗／会議予定時間
を算出し、バーグラフの長さに対する基づき色分け位置を決定する（Ｓ５５０）。
【０１３７】
図２２（ｂ）は、会議進行表示手段３２がマークの位置を決定する手順を示すフローチャート図の一例である。まず、会議進捗算出手段が会議進捗時間を算出する（Ｓ６１０）。
【０１３８】
次に、会議進行表示手段３２は、変数である会議予定時間に予定終了時刻と予定開始時刻の差を設定する（Ｓ６２０）。
【０１３９】
次に、会議進行表示手段３２は、
マークの位置＝会議進捗時間／会議予定時間
からマークの位置を決定する（Ｓ６３０）。
【０１４０】
会議進捗時間は、会議予定時間を超えないので、バーグラフのどこかにマークが位置するようになる。
【０１４１】
〔具体例〕
図２３は、会議情報が設定された設定画面の一例を示す。ユーザは３つの議事Ａ〜Ｃを設定し、議事予定時間をそれぞれ５分とした。この会議の進行をユーザが議事Ａから開始したとする。
【０１４２】
１つ目の議事「議事Ａ」が進行中で、議事経過時間が３ 分経過している場合、議事進捗時間も３分となり、会議全体の会議進捗時間は式（１）より次式で現すことができる。この時の会議インジケータ１７は図２４（ａ）のようになる。
・会議進捗時間＝3+0+0=3 分
次に、１つ目の議事「議事Ａ」が進行中で議事経過時間が７分経過している場合、「議事Ａ」は７ 分議論をしているが、本実施例では、予定の５ 分でできる議論以上の進捗は会議に対してないと考え、「議事Ａ」の議事進捗時間は５ 分と考える。会議全体の会議進捗時間は式（１）より次式で現すことができる。この時の会議インジケータ１７は図２４（ｂ）のようになる。
・会議進捗時間＝5+0+0=5 分
続いて、ユーザが一つ目の議事「議事Ａ」の議論を終了し、二つ目の議事「議事Ｂ」が進行中で1 分経過している場合、議事経過時間＝議事進捗時間＝１分となり、会議進捗時間は下式で表される。
・会議進捗算時間＝5+1+0=6 分
また、会議経過時間は７＋１＝８分となる。この時の会議インジケータ１７は図２４（ｃ）のようになる。
【０１４３】
続いて、ユーザが二つ目の議事「議事Ｂ」の議論も終了し、三つ目の議事「議事Ｃ」が進行中で3 分経過している場合、議事経過時間＝議事進捗時間＝３分となるが、進捗履歴があり進行中でない議事の議事進捗時間は議事予定時間と同じなので、議事Ａ，Ｂの議事進捗時間はいずれも５分である。よって、会議進捗時間は下式で表される。
・会議進捗時間＝5+5+3=13 分
また、会議経過時間は７＋１＋３＝１１分となる。この時の会議インジケータ１７は図２４（ｄ）のようになる。
【０１４４】
続いて、ユーザが三つ目の議事「議事Ｃ」の議論も終了させ、二つ目の議事「議事Ｂ」が進行中で２ 分経過している場合、「議事Ｂ」は以前1 分の議論をしているので、それと合算されて、(1+2)分の議論をしたと考える。また、進行中の議事Bの議事進捗時間は、議事予定時間以下なら議事経過時間（１＋２）と同じであり、進捗履歴があり進行中でない議事Cの議事進捗時間は議事予定時間と同じ（５分）である。
・会議進捗時間＝5+(1+2)+5=13 分
また、会議経過時間は７＋（１＋２）＋３＝１３分となる。この時の会議インジケータ１７は図２４（ｄ）のようになる。
【０１４５】
以上説明したように、本実施例の会議システム５００は、会議経過時間と、実際の会議の進捗状況を比較可能なように表示することで、ユーザは会議全体の進捗状況を一目で把握することができる。
【０１４６】
また、ユーザが会議を中断・再開しても、進行テーブル３７に議事の開始時刻と終了時刻を登録しておくことで、再開した議事の進捗状況を算出し会議の進捗状況を表示することができる。
【０１４７】
〔質疑の取り扱い〕
会議では議事に対する質疑の時間が設けられることがあるが、質疑の時間を議事予定時間に含めるのでなく、議事予定時間とは別に独立して確保することもできる。
【０１４８】
図２５は議事毎に質疑の時間を設定できる設定画面の一例を示す。図２５において図６（ａ）と同一部の説明は省略する。この設定画面では、ユーザは議事毎に報告の時間と質疑の時間を別々に設定できる。設定された質疑の時間を質疑予定時間といい、その合計をトータル質疑時間という。
【０１４９】
このような会議情報に対し、議事作成手段３１は質疑予定時間を議事テーブル３６に登録する。また、議事移行確認手段３４は、質疑が開始されると進行テーブル３７に質疑の開始時刻と終了時刻を登録する。上記の進行テーブル３７では質疑と議事を区別できないので、例えば、議事ＩＤに質疑であることを示す情報を付加するなどする。
【０１５０】
図２６は、進行支援メニュー１４の一例を示す。図９と異なるのは議事毎に「質疑」ボタンが表示される点である。「質疑」ボタンは、議事が一度でも進行することでユーザが選択可能になる。これは議事の報告よりも質疑が先に来ることはないという前提のためである。図では、「開始」ボタンが表示されている議事には「質疑」ボタンがトーンダウンして（選択不能に）表示され、「再開」ボタン又はトーンダウンした「再開」ボタンが表示されている議事には「質疑」ボタンが表示されている。
【０１５１】
このような制御は、会議進行表示手段３２が進行テーブル３７に質疑予定時間が設定された議事の議事ＩＤが登録されているか否かを判定することで実現される。
【０１５２】
また、会議進捗算出手段３３は、議事毎に質疑経過時間を計測する。会議進行表示手段３２は、議事インジケータ１８と同様の質疑インジケータを表示して、色分けなどにより残り時間などを表すことができる。
【０１５３】
また、質疑進捗時間は、議事進捗時間と同様に、質疑が進行中で質疑経過時間が質疑予定時間以上になると質疑進捗時間＝質疑予定時間となり、質疑が進行中で質疑経過時間が質疑予定時間未満であると質疑進捗時間＝質疑経過時間となり、質疑が進行中でなく質疑経過時間が質疑予定時間以上になると質疑進捗時間＝質疑予定時間となる。会議進捗時間は議事毎の議事進捗時間と質疑進捗時間を合計したものである。
【０１５４】
このように議事と質疑を区分しても、会議進行表示手段３２は会議インジケータ１７を表示することができる。
【実施例２】
【０１５５】
本実施例では、ネットワーク型の会議システム５００について説明する。
図２７は、会議システム５００の概略的な使用例の一例を示す図である。図２７において図３と同一部には同一の符号を付しその説明は省略する。図２７では、４人のユーザＡ〜Ｄが会議に参加し、そのうちユーザＡが発表を行っている。
【０１５６】
本実施例では、４つの情報端末機１〜４がネットワークを介して接続されており、４つの進行支援メニュー１４が同期することが特徴の１つである。なお、４つの情報端末機１〜４には主従関係がなく、最後に操作を受け付けた情報端末機１〜４の進行支援メニュー１４に他の情報端末機１〜４の進行支援メニュー１４が同期するようになっている。なお、ユーザは、いずれか１つの情報端末機１〜４を議長的な端末に定め、この情報端末機１の進行支援メニュー１４に対し他の情報端末機２〜４の進行支援メニュー１４が同期するように設定することもできる。
【０１５７】
同期を取ることにより、ユーザが直接、情報端末機１〜４を操作しなくても、各ＰＣの進行支援メニュー１４はほぼ同じ議事インジケータ１８及び会議インジケータ１７を表示することができる。なお、同期のため図２７では不図示のサーバ（次述する進行支援装置２００）がネットワークに接続されている。
【０１５８】
図２８は、本実施例の会議システム５００の概略構成図の一例を示す。図２８において図４と同一部には同一の符号を付しその説明は省略する。本実施例の会議システム５００は、進行支援装置２００がネットワークに接続されている。そして、進行支援装置２００は、実施例１で情報端末機１〜４が持っていた制御部及びデータ格納部２４を有する。
【０１５９】
進行支援装置２００の制御部の機能は実施例１の機能とほぼ同じであるが、進行支援メニュー１４を表示するのは情報端末機１〜４であるため、制御部が生成した進行支援メニュー１４を表示するための情報（以下、進行支援メニュー情報という）を情報端末機１〜４に送信する。情報端末機１〜４は、受信した進行支援メニュー情報を用いて進行支援メニュー１４を表示する。
【０１６０】
このような通信を実現するため、進行支援装置２００の制御部２１はＷｅｂアプリを実体とし、情報端末機１〜４の制御部４１はクライアントアプリを実体とする。Ｗｅｂアプリとは、クライアント端末からのリクエストによって動的なコンテンツを提供するアプリケーションをいう。例えば、進行支援装置２００の制御部はJava（登録商標）のJ2EEや.NET（登録商標)等を開発プラットフォームとして実装されている。したがって、進行支援装置２００はWebアプリのプログラム１１０を記憶しており、情報端末機１００はクライアントアプリのプログラム１１０を記憶している。
【０１６１】
また、クライアントアプリには種々の実装方法があるが、例えばAdobe社のAirランタイム上で、HTML、JavaScript、Flash、ActionScriptなどを組み合わせたコードを記述することで実現できる。また、クライアントアプリとしてブラウザを用いてもよい。両者の通信は、例えばJSON形式のフォーマットのデータをＨＴＴＰで行う。
【０１６２】
ユーザは、情報端末機１〜４又は進行支援装置２００を直接操作して、設定画面から操作情報を入力するので、実施例１と同様に議事作成手段３１が会議テーブル３５と議事テーブル３６に会議情報を登録する。また、会議進捗算出手段３３による会議進捗時間の算出方法も実施例１と同様である。
【０１６３】
会議進行表示手段３２は、会議進捗算出手段３３が算出した会議進捗時間を含め、進行支援メニュー情報を情報端末機１〜４に送信する。議事移行確認手段は、情報端末機１〜４から受信する操作情報に基づき、議事の移行を検出し進行テーブル３７を更新する。
【０１６４】
情報端末機１〜４の会議情報操作手段４２は、入力部２３を介してユーザの操作を受け取ると、通信部を介して進行支援装置２００に操作情報を送信する。また、会議情報操作手段４２は、所定間隔毎に進行支援メニュー情報のリクエストを進行支援装置２００に送信する。会議情報表示手段４３は進行支援装置２００から受信した進行支援メニュー情報を表示部２２に表示する（更新する）。
【０１６５】
図２９は、会議システム５００の全体的な動作を示すフローチャート図の一例である。議事作成手段３１は、図６の設定画面に入力された情報に基づき会議情報を作成する（Ｓ１０）。
【０１６６】
会議に参加する各ユーザは情報端末機１〜４を操作して、例えば会議一覧を取得し、その中から参加する会議を選択する（Ｓ４１０）。会議一覧には少なくとも各会議ＩＤと会議名が含まれており、この他の会議情報の一部又は全てを会議一覧に含めてもよい。選択により、各情報端末機１〜４から進行支援装置２００に選択した会議ＩＤが送信される（Ｓ４２０）。
【０１６７】
進行支援装置２００は、進行支援メニュー情報を各情報端末機１〜４に送信する（Ｓ４３０）。なお、例えば、遅れて会議に参加するようなユーザは、すでに会議が開始された状態の進行支援メニュー情報を受信することになる。
【０１６８】
進行支援メニュー情報を受信した情報端末機１〜４の会議情報表示手段４３は、図８（ａ）のような進行支援メニュー１４を表示する（Ｓ４４０）。
【０１６９】
各情報端末機１〜４のユーザの一人は、入力部２３を操作して当該会議を開始する（Ｓ４５０）。会議情報操作手段４２は、会議の開始という操作情報を進行支援装置２００に送信する（Ｓ４６０）。開始の操作情報には、会議ＩＤ及び開始した議事の議事ＩＤが含まれる。
【０１７０】
これにより、会議進行表示手段３２は、会議の時間計測を開始する（Ｓ２０）。議事移行確認手段３４は、開始という操作情報に基づき、進行テーブル３７に開始した議事の議事ＩＤと開始時刻を登録する。
【０１７１】
また、会議進行表示手段３２は、開始の操作情報を送信した情報端末機１〜４に進行支援メニュー情報を送信する（Ｓ３５）。進行支援メニュー情報は、例えば、
｛会議名、会議の状態（予定中、進行中、中断中、終了後）、予定開始時刻、予定終了時刻、議事ＩＤ、議事タイトル、議事予定時間、議事の状態（予定中、進行中、中断中）、議事表示順情報、議事経過時間、会議進捗時間、会議経過時間、現在進行中の議事の議事ＩＤ｝である。
【０１７２】
補足すると、会議の状態の「予定中」とは会議情報が設定されたがまだその会議のどの議事も開始されていない状態である。「進行中」とは進行テーブル３７にある議事の開始時刻が登録されているが、終了時刻は登録されていない状態である。「中断中」とはこの会議の一部の議事についてだけ進行テーブル３７に開始時刻と終了時刻が登録された状態である。「終了後」とはこの会議の全ての議事についてだけ進行テーブル３７に開始時刻と終了時刻が登録された状態である。
【０１７３】
「現在進行中の議事の議事ＩＤ」は、進行テーブル３７に開始時刻が登録されているが終了時刻は登録されていない議事の議事ＩＤである。議事の状態の「予定中」とは、まだ一度も進行テーブル３７に議事ＩＤが登録されていない議事の状態である。「進行行」とは進行テーブル３７に開始時刻が登録されているが、終了時刻は登録されていない議事の状態である。「中断中」とは、進行テーブル３７に開始時刻と終了時刻が登録された議事の状態である。
【０１７４】
議事経過時間は実施例１と同じであり、各議事の議事経過時間である。議事表示順情報とは、議事テーブル３６の議事番号である。
【０１７５】
会議情報表示手段４３は、進行支援メニュー情報を受信すると、進行支援メニュー１４を表示する（Ｓ４７０）。なお、会議情報表示手段４３は、議事経過時間、会議経過時間、会議進捗時間についてローカルの時計で独自に計時を受け継ぐ。こうすることで、進行支援装置２００と通信していない間、情報端末機１〜４は会議インジケータや議事インジケータ１８を時間と共に変化させることができる。
【０１７６】
図９（ａ）の画面を例に説明する。まず、会議情報表示手段４３は、議事表示順情報に基づき議事リストに表示する議事の順番を決定する。そして、順番に基づき、議事リストの各欄に議事タイトルを割り当てる。
【０１７７】
また、会議情報表示手段４３は、議事の状態に基づき、議事リスト５１の右側のボタンに表示する文字を決定する。すなわち、「予定中」の議事には「開始」ボタンが、「進行中」の議事には「再開（トーンダウン）」ボタンが、「中断中」の議事には「再開」ボタンが、それぞれ割り当てられる。
【０１７８】
また、会議情報表示手段４３は、進行支援メニュー１４の議事表示欄５２に、議事の状態が「進行中」の議事のタイトルを表示する。また、議事表示欄５３には、議事表示順情報に基づき「進行中」の議事の次の議事のタイトルを表示する。
【０１７９】
また、会議情報表示手段４３は、最後に進行支援メニュー１４を表示した際に議事リストが表示されていれば「リスト非表示」ボタンを、最後に進行支援メニュー１４を表示した際に議事リストが表示されていなければ「リスト表示」ボタンを、表示する。
【０１８０】
また、会議情報表示手段４３は、全ての議事の状態が「予定中」の場合、「会議開始」ボタンを表示し、議事の状態が「予定中」の議事がある場合「次の議事へ」ボタンを表示し、全ての議事の状態が「中断中」又は「進行中」の場合、「会議終了」ボタンを表示する。
【０１８１】
また、会議情報表示手段４３は、図２１の手順に従い、現在進行中の議事の議事ＩＤの議事経過時間に基づき、議事インジケータ１８を表示する。すなわち、議事経過時間と議事予定時間の大小関係に基づき色や点滅の有無などを決定する。
【０１８２】
また、会議情報表示手段４３は、会議進捗時間と会議予定時間に基づき会議インジケータ１７を表示する。本実施例においても進行支援装置２００が図１６，１８，１９の処理を実行し会議進捗時間を算出する。会議情報表示手段４３は、図２２の手順に従い、会議インジケータを表示する。
【０１８３】
ユーザは進行支援メニュー１４を操作して議事変更（次の議事へ）の操作を行うことができ、また、情報端末機１〜４は定期的にリクエストを送信する（Ｓ４８０）。操作情報には、例えば、会議ＩＤ、終了した議事の議事ＩＤが含まれる。
【０１８４】
会議進行表示手段３２は、「次の議事へ」の操作情報又はリクエストを受信すると、進行支援メニュー情報を生成する。そして進行支援メニュー情報を送信する（Ｓ３５）。議事移行確認手段３４は、終了した議事の議事ＩＤに基づき進行テーブル３７に終了した議事の終了時刻を登録し、次の議事の議事ＩＤと開始時刻を進行テーブル３７に登録する。
【０１８５】
ここで「次の議事へ」の操作情報が送信された場合、議事進行表示手段３２は、上記の進行支援メニュー情報のうち、議事の状態（予定中、進行中、中断中）、議事経過時間、会議進捗時間、会議経過時間、及び、現在進行中の議事の議事ＩＤ、を更新する。
【０１８６】
また、リクエストの場合、上記の進行支援メニュー情報のうち、議事経過時間、会議進捗時間、及び、会議経過時間を更新する。なお、更新は一部でも進行支援メニュー情報の全てが送信される。
【０１８７】
これにより、「次の議事へ」ボタンの操作情報を送信した情報端末機１〜４は進行支援メニュー１４の表示を更新することができる。また、その他の情報端末機１〜４は、リクエストを送信した際に進行支援メニュー１４の表示を更新することができる。なお、進行支援装置２００はリクエストを待たずに、操作情報の受信により進行テーブル３７を更新した際は、全ての情報端末機１〜４に同報的に進行支援メニュー情報を送信してもよい。
【０１８８】
ユーザは、所望のタイミングで「会議終了」ボタンを押下すと、会議情報操作手段４２は会議終了の操作情報を進行支援装置２００に送信する（Ｓ４９０）。この操作情報には、例えば、会議ＩＤ及び終了時の議事の議事ＩＤが含まれる。
【０１８９】
議事移行確認手段３４は会議の終了の操作情報を受信したか否かを判定する（Ｓ５５）。議事移行確認手段３４は、終了した議事の議事ＩＤに基づき進行テーブル３７に終了した議事の終了時刻を登録する。
【０１９０】
会議の終了の操作情報を受信した場合（Ｓ５５のＹｅｓ）、会議進捗算出手段３３は、議事経過時間の計測を終了する（Ｓ６５）。
【０１９１】
以上のように、進行支援装置２００がサーバとして進行テーブル３７を有し、定期的に情報端末機に進行支援メニュー情報を送信するので、各情報端末機１〜４はほぼ同じ進行支援メニューを表示することができる。本実施例においても、議事インジケータ１８や会議インジケータを表示することができ、操作情報に応じて進行テーブルが更新されるので再開や中断にも対応して議事インジケータ１８や会議インジケータを表示できる。
【符号の説明】
【０１９２】
１１      バーグラフ
１２      マーク
１３      プロジェクタ
１４      進行支援メニュー
１５      通信装置
１６      ネットワーク
１７      会議インジケータ
１８      議事インジケータ
２１、４１制御部
２２      表示部
２３      入力部
２４      データ格納部
３１      議事作成手段
３２      会議進行表示手段
３３      会議進捗算出手段
３４      議事移行確認手段
３５      会議テーブル
３６      議事テーブル
３７      進行テーブル
４２      会議情報操作手段
４３      会議情報表示手段
１００    情報端末機
２００    進行支援装置
５００    会議システム
【先行技術文献】
【特許文献】
【０１９３】
【特許文献１】特開平５‐３０５０６号公報
【特許文献２】特開２００７‐４３４９３号公報
【図１】
0005609441.tif 000002
【図２】
0005609441.tif 000003
【図３】
0005609441.tif 000004
【図４】
0005609441.tif 000005
【図５】
0005609441.tif 000006
【図６】
0005609441.tif 000007
【図７】
0005609441.tif 000008
【図８】
0005609441.tif 000009
【図９】
0005609441.tif 000010
【図１０】
0005609441.tif 000011
【図１１】
0005609441.tif 000012
【図１２】
0005609441.tif 000013
【図１３】
0005609441.tif 000014
【図１４】
0005609441.tif 000015
【図１５】
0005609441.tif 000016
【図１６】
0005609441.tif 000017
【図１７】
0005609441.tif 000018
【図１８】
0005609441.tif 000019
【図１９】
0005609441.tif 000020
【図２０】
0005609441.tif 000021
【図２１】
0005609441.tif 000022
【図２２】
0005609441.tif 000023
【図２３】
0005609441.tif 000024
【図２４】
0005609441.tif 000025
【図２５】
0005609441.tif 000026
【図２６】
0005609441.tif 000027
【図２７】
0005609441.tif 000028
【図２８】
0005609441.tif 000029
【図２９】
0005609441.tif 000030